(57)【特許請求の範囲】
【請求項１】
躯体開口に取り付けて室内外を仕切る建材本体と、建材本体の室外側に設けた蛇口およびシンクを備え、建材本体は室外側への張出し部を有し、蛇口およびシンクのうちの少なくともシンクを張出し部の下方に設けたことを特徴とする開口部用建材。
【請求項２】
躯体開口に取り付けて室内外を仕切る建材本体と、建材本体の室外側に設けた蛇口およびシンクを備え、建材本体は室外側への張出し部を有し、蛇口およびシンクのうちの少なくともシンクを張出し部の下方に収納可能としたことを特徴とする開口部用建材。
【請求項３】
建材本体の室内側に蛇口およびシンクのうちの少なくともシンクを収納可能とした請求項１または２に記載の開口部用建材。
【請求項４】
収納した蛇口またはシンクを室内側から使用可能とした請求項２または３に記載の開口部用建材。
【発明の詳細な説明】
【０００１】
【発明が属する技術分野】
本発明は、躯体開口に取り付けられる出窓などの開口部用建材に関するものである。
【０００２】
【従来の技術】
従来、例えば、開口部用建材を取り付けた部屋の室外側にシンクを取り付ける場合には、躯体壁面の開口部用建材を取り付けていない部分にシンクを取り付けるようにしていた。
【０００３】
【発明が解決しようとする課題】
ところが、従来にあっては、開口部用建材の取り付けとは別にシンクの取り付けを行っている都合上、施工の合理化に貢献することができないうえ、施工業者が増す分だけ品質が低下する可能性があり、これらの問題を解決することが従来の課題となっていた。
【０００４】
【発明の目的】
本発明は、上記した従来の課題に着目してなされたもので、施工の合理化に貢献することができ、品質の向上を実現することが可能である開口部用建材を提供することを目的としている。
【０００６】
【課題を解決するための手段】
【０００６】
本発明の請求項１に係わる開口部用建材において、躯体開口に取り付けて室内外を仕切る建材本体と、建材本体の室外側に設けた蛇口およびシンクを備え、建材本体は室外側への張出し部を有し、蛇口およびシンクのうちの少なくともシンクを張出し部の下方に設けた構成とし、本発明の請求項２に係わる開口部用建材において、躯体開口に取り付けて室内外を仕切る建材本体と、建材本体の室外側に設けた蛇口およびシンクを備え、建材本体は室外側への張出し部を有し、蛇口およびシンクのうちの少なくともシンクを張出し部の下方に収納可能とした構成とし、本発明の請求項３に係わる開口部用建材は、建材本体の室内側に蛇口およびシンクのうちの少なくともシンクを収納可能とした構成としている。
【０００７】
本発明の請求項４に係わる開口部用建材において、収納した蛇口またはシンクを室内側から使用可能とした構成としており、蛇口およびシンクは室内側に露出させておいてもよいほか、必要に応じてカバーなどで覆ってもよい。
【００１０】
本発明に係わる開口部用建材において、建材本体には、障子やパネルを嵌め込んだ窓部分のほかに、室外側への張出し部や、この張出し部の下方に位置して躯体開口の下縁部に連結する腰壁部を含むものとする。
【００１１】
また、蛇口にホースを接続して水を撒く場合のように、蛇口は必要であってもシンクを必要としない場合を想定して、本発明に係わる開口部用建材では、蛇口およびシンクのうちの少なくともシンクを張出し部の下方に設けたり、張出し部の下方に収納したり、建材本体の室内側に収納したりするようにしている。
【００１２】
さらに、本発明に係わる開口部用建材において、蛇口がシンクに一体で設けられる場合、および、蛇口がシンクと別個に設けられる場合のいずれの場合であってもよく、蛇口には固定式のほかに可倒式やシャワー式やグースネック式など様々なタイプのものを適宜採用することができる。
【００１４】
【発明の作用】
本発明の請求項１に係わる開口部用建材において、この開口部用建材を構成する建材本体の取り付けと同時に蛇口およびシンクの取り付けがなされるので、施工の合理化が図られると共に、施工業者を減らし得る分だけ品質の向上が見込まれ、且つ、使用時以外は蛇口およびシンクのうちの少なくともシンクが張出し部の下方に位置していることから、少なくともシンクが雨水や塵埃で汚れることが回避され、例えば、この開口部用建材をバルコニーに面する壁面に取り付けた場合には、バルコニーを広く使い得るうえ、張出し部の下部を有効に利用している分だけ、張出し部の障害感が薄らぐこととなる。
【００１５】
本発明の請求項２および３に係わる開口部用建材において、この開口部用建材を構成する建材本体の取り付けと同時に蛇口およびシンクの取り付けがなされるので、施工の合理化が図られると共に、施工業者を減らし得る分だけ品質の向上が見込まれ、且つ、使用時以外は蛇口およびシンクのうちの少なくともシンクを室内側（あるいは張出し部の下方）に収納し得るので、少なくともシンクが雨水や塵埃で汚れることを阻止し得るのに加えて、例えば、この開口部用建材をバルコニーに面する壁面に取り付けた場合においても、バルコニーを広く使い得ることとなり、とくに請求項２に係わる開口部用建材では、蛇口およびシンクのうちの少なくともシンクを張出し部の下方に収納するようにした分だけ、構造の簡略化が図られてコストの低減を実現し得ることとなる。
【００１６】
本発明の請求項４に係わる開口部用建材において、上記した構成としているので、蛇口またはシンクを室外だけでなく室内においても使用し得ることとなり、使い勝手が向上することとなる。
【００１９】
【実施例】
以下、本発明を図面に基づいて説明する。
【００２０】
図１は本発明に係わる開口部用建材の一実施例を示しており、この実施例では、本発明に係わる開口部用建材が出窓サッシである場合を示す。
【００２１】
図１に示すように、この出窓サッシ（開口部用建材）１は、バルコニーに面するキッチンＣに使用したものであって、躯体開口Ｓに取り付けて室内外を仕切るサッシ本体２を備えており、このサッシ本体２は、室外側に延出するカウンター部（張出し部）２Ａと、このカウンター部２Ａから躯体開口Ｓの下縁部Ｓｂへ連続する採光可能な腰壁部２Ｂと、カウンター部２Ａの先端から立ち上がる正面採光部３Ａと、躯体開口Ｓの上縁部Ｓｕから室外側に延出して正面採光部３Ａと連結する天井採光部３Ｂを備えている。
【００２２】
カウンター部２Ａの内部には可倒式の蛇口５を具備したシンク６が収納してあり、この蛇口付シンク６は室内外方向（矢印方向）にスライドしてカウンター部２Ａに対して出し入れ自在としてある。
【００２３】
この場合、サッシ本体２のカウンター部２Ａには、収納した状態の蛇口付シンク６を室内側から使用可能とする開口７が設けてあり、一方、サッシ本体２の腰壁部２Ｂの内部には、蛇口付シンク６と連通する排水管８および蛇口５と連通する給水管９が設けてあり、カウンター部２Ａの開口７は必要に応じてスライドカバー１０によって開閉することができるようになっている。
【００２４】
なお、図１における符号２ａはカウンター部２Ａに設けた収納庫、符号２ｂは換気ダクト、符号２ｃは収納棚，符号２ｄはキッチンシンクである。
【００２５】
上記した構成の出窓サッシ１では、この出窓サッシ１を構成するサッシ本体２の取り付けと同時に蛇口付シンク６の取り付けがなされることから、施工の合理化が図られると共に、施工業者を減らし得る分だけ品質の向上が見込まれることとなる。
【００２６】
また、上記した出窓サッシ１において、蛇口付シンク６を使用しない場合には、この蛇口付シンク６を可倒式蛇口５を倒しつつサッシ本体２のカウンター部２Ａに収納し得ることから、蛇口付シンク６が雨水や塵埃で汚れることを阻止し得るうえ、バルコニーを広く使い得ることとなる。
【００２７】
さらに、上記した出窓サッシ１において、サッシ本体２のカウンター部２Ａに収納した状態の蛇口付シンク６をカウンター部２Ａの開口７を通して室内側からも使用可能としていることから、使い勝手が向上することとなる。
【００２８】
さらにまた、上記した構成の出窓サッシ１では、サッシ本体２の腰壁部２Ｂの内部に、蛇口付シンク６と連通する排水管８および蛇口５と連通する給水管９を設けているので、排水管８や給水管９が外部に露出しない分だけ、外観意匠性が向上することとなる。
【００２９】
図２は本発明に係わる開口部用建材の他の実施例を示しており、この実施例においても、本発明に係わる開口部用建材がバルコニーに面するキッチンＣに用いられる出窓サッシである場合を示す。
【００３０】
図２に示すように、この出窓サッシ１１が先の実施例における出窓サッシ１と相違するところは、サッシ本体１２における張出し部としてのカウンター部１２Ａに対して室内外方向（矢印方向）にスライドさせて出し入れ自在とした蛇口付シンク１６をカウンター部１２Ａの下方に収納するようにした点にあり、他の構成は先の実施例における出窓サッシ１と同じである。
【００３１】
この場合も、サッシ本体１２のカウンター部１２Ａには、その下方に収納した状態の蛇口付シンク１６を室内側から使用可能とする開口１７が設けてあり、この開口１７はシンク扉１８によって開閉することができるようになっている。
【００３２】
この出窓サッシ１１においても、サッシ本体１２の取り付けと同時に蛇口付シンク１６の取り付けがなされることから、施工の合理化および品質の向上が図られることとなる。
【００３３】
また、上記した出窓サッシ１１の場合も、蛇口付シンク１６を使用しない場合には、この蛇口付シンク１６を可倒式蛇口１５を倒しつつサッシ本体１２のカウンター部１２Ａの下方に収納し得るので、蛇口付シンク１６が汚れるのを阻止し得ると共に、バルコニーを広く使い得ることとなり、加えて、蛇口付シンク１６をカウンター部１２Ａの下方に収納するようにした分だけ構造の簡略化が図られることとなる。
【００４４】
図３（ａ），（ｂ）は本発明に係わる開口部用建材のさらに他の実施例を示しており、この実施例では、本発明に係わる開口部用建材がバルコニーに面する出窓サッシである場合を示す。
【００４５】
図３（ａ），（ｂ）に示すように、この出窓サッシ３１は、サッシ本体３２における張出し部としてのカウンター部３２Ａの下方にシンク３６を設けており、図３（ａ）では、カウンター部３２Ａの下部に蛇口３８Ａを設けた場合を示し、一方、図３（ｂ）では、シンク３６に蛇口３８Ｂを設けた場合を示している。
【００４６】
この出窓サッシ３１においても、サッシ本体３２の取り付けと同時にシンク３６の取り付けがなされることから、施工の合理化および品質の向上が図られることとなる。
【００４７】
また、この出窓サッシ３１では、少なくともシンク３６が常にサッシ本体３２のカウンター部３２Ａの下方に位置しているので、シンク３６が汚れるのを阻止し得ると共に、バルコニーを広く使い得ることとなり、加えて、カウンター部３２Ａの下方を有効に利用しているので、カウンター部３２Ａの張り出し感（障害感）が薄らぐこととなる。
【００４８】
上記した実施例では、本発明に係わる開口部用建材がキッチンＣに用いられる出窓サッシ１，１１である場合を示したが、これに限定されるものではなく、本発明に係わる開口部用建材が一般居室に用いられる通常のサッシであってもよい。
【００４９】
また、本発明に係わる開口部用建材の詳細な構成は、上記した実施例に限定されるものではない。
【００５０】
【発明の効果】
以上説明してきたように、本発明の請求項１に係わる開口部用建材では、上記した構成としたから、施工の合理化および品質の向上を実現することが可能であるという非常に優れた効果がもたらされるとともに、蛇口およびシンクのうちの少なくともシンクが雨水や塵埃で汚れることを防ぐことができ、例えば、この開口部用建材をバルコニーに面する壁面に取り付けた場合には、バルコニーを広く使うことが可能になるうえ、張出し部の下部を有効に利用する分だけ、張出し部の障害感を和らげることができるという非常に優れた効果がもたらされる。
【００５２】
本発明の請求項２および３に係わる開口部用建材において、上記した構成としていることから、請求項１に係わる開口部用建材と同じ効果が得られるのに加えて、とくに本発明の請求項２に係わる開口部用建材では、上記効果を得たうえでコストの低減化をも実現することが可能であるという非常に優れた効果がもたらされる。
【００５３】
本発明の請求項４に係わる開口部用建材において、上記した構成としているので、蛇口またはシンクを室内外のいずれにおいても使用することができ、その結果、使い勝手の向上を実現することが可能であるという非常に優れた効果がもたらされる。
【図面の簡単な説明】
【図１】本発明に係わる開口部用建材の一実施例を示すキッチンに用いられた出窓サッシの室内側からの斜視面説明図である。
【図２】本発明に係わる開口部用建材の他の実施例を簡略的に示す出窓サッシの側面説明図である。
【図３】本発明に係わる開口部用建材のさらに他の実施例を簡略的に示す出窓サッシの側面説明図（ａ），（ｂ）である。
【符号の説明】
１，１１，３１            出窓サッシ（開口部用建材）
２，１２，３２            サッシ本体（建材本体）
２Ａ，１２Ａ，３２Ａ      カウンター部（張出し部）
５，１５，３８Ａ，３８Ｂ  蛇口
６，１６            蛇口付シンク
８      排水管
９      給水管
３６    シンク
Ｓ      躯体開口
【図１】
0003540252.tif 000002
【図２】
0003540252.tif 000003
【図３】
0003540252.tif 000004